(57)【要約】  多孔質基板又は半多孔性基板に消すことができないイメージを形成するインクジェットインク組成物が開示される。本発明のインク組成物は液状キャリア、第１着色料及び第２着色料組成物を含み、第１着色料は前記液状キャリアに可溶性であるが、水に不溶性又は実質的に不溶性であり、第２着色料組成物は顔料を含み、前記液状キャリアに分散性である。第２着色料組成物は前記液状キャリアに不溶性又は実質的に不溶性である。イメージは水性及び／又は非水液体の使用によって除去又は洗い流すことが困難又はできない。【特許請求の範囲】
【請求項１】
液状キャリア、第１着色料及び第２着色料組成物を含むインクジェットインク組成物であって、第１着色料は前記液状キャリアに可溶性であるが、水に不溶性又は実質的に不溶性であり、第２着色料組成物は顔料を含み、分散性であるが、前記液状キャリアに不溶性又は実質的に不溶性である、前記インクジェットインク組成物。
【請求項２】
液状キャリアが非水キャリアを含む、請求項１記載のインクジェットインク組成物。
【請求項３】
非水キャリアがグリコール及びグリコールエーテルからなる群より選ばれる１又は２以上の溶媒を含む、請求項２記載のインクジェットインク組成物。
【請求項４】
グリコールがジエチレングリコール、トリエチレングリコール、ジプロピレングリコール及びトリプロピレングリコール並びにこれらの任意の組合せからなる群より選ばれる、請求項３記載のインクジェットインク組成物。
【請求項５】
グリコールエーテルがジエチレングリコール モノメチル エーテル、ジエチレングリコール モノエチル エーテル、ジエチレングリコール モノプロピル エーテル、ジエチレングリコール モノブチル エーテル、トリエチレングリコール モノメチル エーテル、トリエチレングリコール モノエチル エーテル、トリエチレングリコール モノプロピル エーテル、トリエチレングリコール モノブチル エーテル、ジプロピレングリコール モノメチル エーテル、ジプロピレングリコール モノエチル エーテル、ジプロピレングリコール モノプロピル エーテル、ジプロピレングリコール モノブチル エーテル、トリプロピレングリコール モノメチル エーテル、トリプロピレングリコール モノエチル エーテル、トリプロピレングリコール モノプロピル エーテル及びトリプロピレングリコール モノブチル エーテル並びにこれらの任意の組合せからなる群より選ばれる、請求項３記載のインクジェットインク組成物。
【請求項６】
非水キャリアがトリエチレングリコールとトリプロピレングリコール モノメチル エーテルの混合物を含む、請求項３記載のインクジェットインク組成物。
【請求項７】
第１着色料がインクジェットインク組成物の20重量％未満の量で存在する、請求項１記載のインクジェットインク組成物。
【請求項８】
第１着色料がインクジェットインク組成物の15重量％未満の量で存在する、請求項７記載のインクジェットインク組成物。
【請求項９】
第１着色料がソルベント染料である、請求項１記載のインクジェットインク組成物。
【請求項１０】
ソルベント染料が黒色染料である、請求項９記載のインクジェットインク組成物。
【請求項１１】
黒色染料がC.I. Solvent Black 3、C.I. Solvent Black 7、C.I. Solvent Black 27、C.I. Solvent Black 29、C.I. Solvent Black 35及びC.I. Solvent Black 48並びにこれらの任意の組合せからなる群より選ばれる、請求項１０記載のインクジェットインク組成物。
【請求項１２】
第２着色料組成物が顔料である、請求項１記載のインクジェットインク組成物。
【請求項１３】
顔料がカーボンブラックである、請求項１記載のインクジェットインク組成物。
【請求項１４】
第２着色料組成物が分散剤を含む、請求項１記載のインクジェットインク組成物。
【請求項１５】
分散剤が界面活性剤、ポリマー、ポリマー分散剤及び樹脂の少なくとも１つを含む、請求項１４記載のインクジェットインク組成物。
【請求項１６】
第２着色料組成物がインクジェットインク組成物の約５重量％未満の量で存在する、請求項１記載のインクジェットインク組成物。
【請求項１７】
第２着色料組成物がインクジェットインク組成物の約３重量％未満の量で存在する、請求項１６記載のインクジェットインク組成物。
【請求項１８】
顔料がインクジェットインク組成物の約２重量％未満の量で存在する、請求項１記載のインクジェットインク組成物。
【請求項１９】
顔料がインクジェットインク組成物の約１重量％未満の量で存在する、請求項１８記載のインクジェットインク組成物。
【請求項２０】
さらに、バインダー樹脂、可塑剤、界面活性剤、消泡剤及び信頼性を決定するための化学成分からなる群より選ばれる１又は２以上の添加剤を含む請求項１記載のインクジェットインク組成物。
【請求項２１】
信頼性を決定するための化学成分が蛍光染料である、請求項２０記載のインクジェットインク組成物。
【請求項２２】
液状キャリアがインクジェットインク組成物の約60〜約97重量％の量で存在し、第１着色料がインクジェットインク組成物の約３〜約20重量％の量で存在し、第２着色料組成物が約0.1〜約５重量％の量で存在する、請求項１記載のインクジェットインク組成物。
【請求項２３】
液状キャリアがインクジェットインク組成物の約80〜約95重量％の量で存在し、第１着色料がインクジェットインク組成物の約５〜約12重量％の量で存在し、第２着色料組成物が約0.5〜約３重量％の量で存在する、請求項２２記載のインクジェットインク組成物。
【請求項２４】
複数の開口部から請求項１記載のインクジェットインク組成物の一連の液滴を基板に放射し、液滴が基板上にイメージを形成するように放射された液滴の基板の移動に対するタイミングをコントロールし、イメージを乾燥させることを含むインクジェットインクイメージを基板に印刷する方法。
【請求項２５】
複数の開口部がドロップ・オン・デマンドのインクジェットプリンターに配置される、請求項２４記載の方法。
【請求項２６】
インクジェットプリンターが圧電アクチュエータの動作を使用して液滴を放射する、請求項２５記載の方法。
【請求項２７】
基板が多孔質基板である、請求項２４記載の方法。
【請求項２８】
多孔質基板が紙又は紙をベースとする基板である、請求項２７記載の方法。
【請求項２９】
基板が半多孔性基板である、請求項２４記載の方法。
【請求項３０】
半多孔性基板が郵便切手である、請求項２９記載の方法。
【請求項３１】
水性又は非水液体で洗浄した場合に、イメージが除去されない、請求項２４記載の方法。
【発明の詳細な説明】
【技術分野】
【０００１】
（発明の分野）
本発明は、一般にインクジェットインク組成物に関するものであり、特に消すことのできないイメージを紙又は紙をベースとする基板のような多孔質基板、特に郵便切手のような半多孔性基板に形成するインクジェットインク組成物に関するものである。イメージは水性及び／又は非水液体の使用によって除去又は洗い流すことが難しい、又はできない。
【背景技術】
【０００２】
（発明の背景）
多孔質又は半多孔性基板から印刷されたイメージを除去できないようにするために、イメージが消すことのできないものであることが望まれている。多孔質又は半多孔性基板に印刷されたイメージは、水性又は非水液体を用いてイメージ（マーク）を除去又は洗い流そうとする試みに耐えることが必要である。
メッセージを印刷するために現在使用されているインクは、水に不溶性であるが、有機溶媒に可溶性である色指数の専門語で、「ソルベント染料」を含んでいる。このインクから多孔質又は半多孔性基板に印刷したイメージは、水性液体で洗浄することによっては除去されないが、非水液体で洗浄した場合に、除去される。非水液体でも消すことができないことが必要である。
インクジェット印刷はよく知られている。典型的には、連続タイプ及びドロップ・オン・デマンドタイプの２種類のインクジェット印刷システムがある。連続インクジェット印刷システムでは、インクの液滴は帯電領域を通過し、帯電領域で個々の液滴はシグナルに応じて電荷を受け取る。次いで、液滴は電場を通過し、電荷及び電場の強度に依存して個々の液滴の種々の偏向を生じる。液滴は連続的に生成され、印刷される基板に、又はバイパス溝に連続的に方向付けられる。ドロップ・オン・デマンドシステムでは、インク液滴は、印刷プロセスにおいて必要な場合にのみ、印刷ヘッドから放出される。そのようなインクは導電性である必要はない。
【発明の開示】
【発明が解決しようとする課題】
【０００３】
したがって、多孔質基板、特に半多孔性基板に消すことができないイメージを印刷するのに適した、特にドロップ・オン・デマンドプリンターで用いるインク組成物の必要性がある。
本発明はそのようなインク組成物を提供する。本発明の利点及び本発明のさらなる特徴は本明細書の発明の詳細な説明から明らかになるであろう。
【課題を解決するための手段】
【０００４】
（発明の要約）
本発明は多孔質基板又は半多孔性基板に消すことができないイメージを形成するインクジェットインク組成物を提供する。本発明の利点は、印刷動作の信頼性を犠牲にすることなく、消すことができないことを達成したことである。本発明のインク組成物は液状（インク）キャリア、第１着色料及び第２着色料組成物を含み、第１着色料は前記液状キャリアに可溶性であり、第２着色料組成物は前記液状キャリアに分散性である。第２着色料組成物は顔料を含み、前記液状キャリアに不溶性又は実質的に不溶性である。
本発明は液状キャリア、第１着色料及び第２着色料組成物を含み、第１着色料は前記液状キャリアに可溶性であるが、水に不溶性又は実質的に不溶性であり、第２着色料組成物は顔料を含み、前記液状キャリアに分散性である。実施態様では、液状キャリアは１又は２以上の有機溶媒を含む。
任意の適した第１着色料及び第２着色料組成物を用いることができる。例えば、第１着色料はソルベント染料であり、第２着色料組成物は顔料を含み、必要に応じて分散剤を含んでもよい。さらに、本発明は、複数の開口部から本発明のインクジェットインク組成物の一連の液滴を基板に放射し、液滴が所望の印刷されたイメージ又はメッセージを形成するように放出された液滴の基板の移動に対するタイミングをコントロールし、イメージ又はメッセージを乾燥させることを含む基板に消すことができないイメージ又はメッセージをインクジェット印刷する方法を提供する。
本発明はある特定の実施態様及び手順を参照して説明されているが、それは、本発明をその具体的な実施態様に限定することを意図しない。むしろ、それは、本発明の意図及び範囲内に包含されるような別の実施態様及び変更のすべてに及ぶことを意図する。
【発明を実施するための最良の形態】
【０００５】
（発明の詳細な説明）
本発明は、紙及び紙をベースとする基板のような多孔質基板又は半多孔性基板へのマーキング用インクジェットインク組成物を含む。半多孔性基板は、基板の多孔性を減らす（除去しない）ために、相当量のインクで被覆又は印刷された多孔質基板である。半多孔性基板の例は郵便切手である。
ある実施態様では、前記インクジェットインク組成物中の可溶性染料及び分散性顔料の使用によって、水性及び非水液体にインクジェット印刷されたイメージが消えないようにする。前記インクジェットインク組成物は、例えば郵便切手のような基板の消印を印刷するために使用できる。消印を消すことができないようにすることは、切手がただ一度だけ使用されることを保証するために望まれている。前記インクはインクジェットプリンターで印刷できるように設計される。このインクで使用される好ましいインクジェットプリンターはドロップ・オン・デマンドプリンターである。さらに、インクが圧電アクチュエータの動作によって放出されるインクジェットプリンターが好ましい。そのようなプリンターの例はMARSH ENCORE（商標）プリンターである。
インクジェットインク組成物の成分は、液状キャリア、前記液状キャリアに可溶性である第１着色料及び顔料を含む第２着色料組成物であり、第２着色料組成物は前記液状キャリアに分散性であるが、前記液状キャリアに不溶性又は実質的に不溶性である。第２着色料組成物は前記液状キャリアに分散性である顔料のみを含むことができ、あるいは第２着色料組成物は顔料と、分散性又は分散安定性を与えるために前記顔料と関連した分散剤とを含むことができる。ある実施態様では、インクジェットインク組成物は前記担体に可溶性である第１着色料、顔料及び分散剤を含む。分散剤は、例えば界面活性剤、ポリマー、樹脂又はこれらの組合せであってもよく、前記液状キャリアでの顔料の分散を可能にする。
【０００６】
また、インクジェットインク組成物は、樹脂、例えばバインダー樹脂、可塑剤及び消泡剤のような追加の成分を含んでもよい。追加の成分を使用して、プリンターにおける又は基板上のインクの性能を高めることができる。さらに、化学成分を前記インクに添加してインクジェットインク組成物又は印刷されたマーク（イメージ）の信頼性を証明又は決定してもよい。信頼性を決定する化学成分は、任意の適した量、例えばインク組成物の約1.0重量％未満、典型的には約0.01〜約0.1重量％で加えてもよい。
適した化学成分は、Ｘ線、ＵＶ、可視又は赤外線領域で固有の吸収又は発光（例えば、蛍光又は燐光）を有してもよく、又は固有の分子量又は断片質量（fragment mass）（質量分析によって決定されるような）を有してもよい。例としては、蛍光染料又は少なくとも１つの固有の元素又は同位体を含む材料が挙げられる。固有の元素はインクジェットインク組成物の任意の他の成分に含まれない化学元素であってもよい（成分の一部として、又はそれに含まれる重要な汚染物質若しくは副生成物として）が、固有の質量又はＸ線蛍光放出（例えば、それぞれ質量分析又はＸ線蛍光で検出される）を有する。例えば、Ｘ線蛍光に効果的である元素としては、遷移金属、ランタニド金属及び非毒性アルカリ、アルカリ土類、又はナトリウムと等しいかナトリウムよりも大きい原子番号を有する主族元素が挙げられる。そのような元素の例としては、ジルコニウム、銅及び臭素が挙げられる。固有の同位体は、典型的には天然存在度が低くてもよく、好ましくは約２％未満であり、質量分析において固有の特徴を与えるために、安定、すなわち非放射性でなければならない。安定な同位体の例としては、重水素、炭素-13及び酸素-18が挙げられる。安定な同位体を含む化合物は、自然に生じるレベルをはるかに超える同位体を含み、質量分析においてバックグラウンドレベルと区別できる。例えば、米国特許第6,477,134号、第6,477,227号及び第6,501,825号を参照のこと。
【０００７】
液状キャリアは非水系である。すなわち、多量の添加された水を含まない。水が存在する場合、好ましくは液状キャリアの約10重量％未満、好ましくは約５重量％未満、より好ましくは約１重量％未満の量で存在する。
好ましい液状キャリアは、約20℃から約70℃の温度で液体である１又は２以上のグリコール又はグリコールエーテル溶媒を含む。液状キャリアは任意の適したグリコールを含むことができる。グリコールの例としては、ジエチレングリコール、トリエチレングリコール、ジプロピレングリコール及びトリプロピレングリコールが挙げられる。任意の適したグリコールエーテル、例えばエチレングリコール及びプロピレングリコールのグリコールエーテル、例えばエチレングリコール、ジエチレングリコール、トリエチレングリコール、プロピレングリコール、ジプロピレングリコール及びトリプロピレングリコールのモノアルキルエーテルを用いてもよい。グリコールエーテルの例としては、ジエチレングリコール モノメチル エーテル、ジエチレングリコール モノエチル エーテル、ジエチレングリコール モノプロピル エーテル、ジエチレングリコール モノブチル エーテル、トリエチレングリコール モノメチル エーテル、トリエチレングリコール モノエチル エーテル、トリエチレングリコール モノプロピル エーテル、トリエチレングリコール モノブチル エーテル、ジプロピレングリコール モノメチル エーテル、ジプロピレングリコール モノエチル エーテル、ジプロピレングリコール モノプロピル エーテル、ジプロピレングリコール モノブチル エーテル、トリプロピレングリコール モノメチル エーテル、トリプロピレングリコール モノエチル エーテル、トリプロピレングリコール モノプロピル エーテル及びトリプロピレングリコール モノブチル エーテルが挙げられる。また、このような溶媒の任意の組合せ、例えばグリコールとグリコールエーテルの混合物、例えばトリエチレングリコールとトリプロピレングリコール モノメチル エーテルの混合物も使用できる。
【０００８】
第１着色料は前記液状キャリアに可溶性であるが、水に不溶性であるか、又は実質的に不溶性である。任意の適した第１着色料、例えばソルベント染料、好ましくは黒色ソルベント染料を用いることができる。２又は３以上の第１着色料の組合せを用いて、例えば所望の色を得てもよい。第１着色料の主要な機能は印刷することによって暗い可視イメージを与えることである。第１着色料はインクジェットインク組成物の約20重量％未満、好ましくは約15重量％未満の量で存在してもよい。第１着色料の例としては、C.I. Solvent Black 3、C.I. Solvent Black 7、C.I. Solvent Black 27、C.I. Solvent Black 29、C.I. Solvent Black 35及びC.I. Solvent Black 48のような黒色の溶剤可溶染料が挙げられる。
第２着色料組成物は、前記液状キャリアに不溶性であるが、分散できるように選ばれる。顔料のイメージは、第１着色料が除去された場合でさえ、例えば印刷されたイメージが、第１着色料が可溶性である溶媒で洗浄された場合でさえ、残っていなければならない。残っているマークは裸眼で判読可能であるが、暗い色である必要はない。２又は３以上の第２着色料組成物の組合せを用いて、第１着色料が印刷されたイメージから除去された後、基板に所望の色を生成してもよい。カーボンブラックは顔料として、又は第２着色料組成物の一部として好ましい。顔料は、任意の適した粒子サイズ、例えば約１μm未満、好ましくは約0.5μm未満、より好ましくは約0.3μm未満の容積平均粒子サイズを有することができる。
【０００９】
第２着色料組成物の量は、第１着色料が可溶性である溶媒で洗浄した後でも目に見えるマークを残すが、印刷システムの信頼性に与える影響を最小にするように最適化されなければならない。顔料の不溶性のために、顔料インクが、典型的にはドロップ・オン・デマンドのインクジェットプリンターにおいて染料ベースインクよりも頻繁にメンテナンスする必要があることは、当該技術において一般に知られている。したがって、印刷システムの最大の信頼性を保証するために、インクジェットインク組成物において、最少量の第２着色料組成物を用いるのが好ましい。したがって、インクジェットインク組成物は、好ましくは約５％未満、より好ましくは約３％未満の第２着色料組成物を含む。本発明の実施態様によれば、インクジェットインク組成物は、好ましくは約２％未満、より好ましくは約１％未満の顔料を含む。
第２着色料組成物は、前記液状キャリアにおいて分散した顔料粒子の安定性を維持するために、着色料と分散剤との組合せを含んでもよい。このように、第２着色料組成物は、１若しくは２以上の分散剤を含み、その分散剤の機能が前記液状キャリアにおける顔料の安定な分散状態を維持することであるチップ（chip）、分散状態又は色組成物の一部であってもよい。安定性及び分散状態を維持するために、顔料がインクジェットインクにおいて分散剤を必要とすることは、当該技術において一般に知られている。分散剤は、一般に界面活性剤、ポリマー、樹脂、ポリマー分散剤又はこれらの組合せである。ポリマー分散剤の例としては、ポリウレタン、ポリアクリラート及びアミン官能性ポリマー／酸縮合ポリマーが挙げられる。ポリマー分散剤はアミン官能性ポリマー又はコポリマー、例えばブロックコポリマーであってもよい。アミン官能性ブロックコポリマーの例としては、ビックケミー（BYK Chemie）のDISPERBYK（商標）-115、DISPERBYK-160及びDISPERBYK-161が挙げられる。アミン官能性ポリマー／酸縮合ポリマーの例としては、ルブリゾールのSOLSPERSE（商標） 13940、SOLSPERSE 38500及びSOLSPERSE 32500が挙げられる。適した分散剤の選択は、例えば顔料及び液状キャリアの種類に基づく。第２着色剤組成物の適した例は、ジブラルタル・ケミカル・ワークス（Gibraltar Chemical Works）によって供給される929-39230 Bar Code Black（トリプロピレングリコール モノメチル エーテル（ＴＰＭ）に分散剤によってカーボンブラックを分散させたもの）に含まれる。
【００１０】
バインダー樹脂は、さらにイメージの基板への付着力を与えてもよい。バインダー樹脂の例としては、ポリエステル樹脂、ポリアミド、ポリビニルブチラール樹脂、フェノール樹脂、アルデヒド樹脂、ケトン樹脂、セルロース樹脂、アクリルスチレン、ロジンエステル及びアクリル樹脂が挙げられる。さらに、本発明のインクジェットインク組成物は可塑剤、消泡剤、酸化防止剤などを含んでもよい。界面活性剤は、インクの表面エネルギーをコントロールするために、例えばイメージ品質又はプリンターにおける操作を向上させるために使用してもよい。この界面活性剤の使用は、分散剤としての界面活性剤の役割とは別個に、固有である。
本発明のインクジェットインク組成物は任意の適した粘度を有することができる。インク組成物の粘度は、好ましくは印刷ヘッドの動作温度で約３〜約30センチポアズ、例えば50℃で約８〜約15センチポアズである。印刷ヘッドの動作温度は選択された印刷ヘッドの種類及び使用されるシステムに依存し、例えば約20〜約70℃である。粘度は、液状キャリアの一部として使用される溶媒の選択及び組成、選択される着色料の種類又は使用される着色料の量によって調整できる。
本発明は、ある実施態様では、液状キャリアがインクジェットインク組成物の約60〜約97重量％の量で存在し、第１着色料がインクジェットインク組成物の約３〜約20重量％の量で存在し、第２着色料組成物が約0.1〜約５重量％の量で存在するインクジェットインク組成物を提供する。
本発明は、別の実施態様では、液状キャリアがインクジェットインク組成物の約80〜約95重量％の量で存在し、第１着色料がインクジェットインク組成物の約５〜約12重量％の量で存在し、第２着色料組成物が約0.5〜約３重量％の量で存在するインクジェットインク組成物を提供する。
本発明のインクジェットインク組成物は任意の適した方法によって、例えば必要な成分を添加混合し、必要によりインクをろ過して任意の不要な材料を取り除くことによって調製することができる。
【００１１】
本発明のインクジェットインク組成物は、任意の適した基板、特に紙又は紙ベース基板、例えば郵便切手、クラフト紙、段ボール紙、チップボード及び書類にイメージを印刷するために使用できる。基板は多孔質、特に半多孔性である。多孔質基板又は半多孔性基板は表面の滑らかさ及び／又は処理の点で異なる。
本発明のインクジェットインク組成物は消すことができないイメージを印刷することができる。消すことができないとは、設定した時間、例えば24時間溶媒で洗浄又は溶媒に浸漬した後、目に見えるマークが残っていることと定義される。イメージは、１又は２以上の水性又は非水液体で洗浄しても除去されない。水性液体の例としては、市販の洗浄剤の水溶液、クリーニング溶液又は水混和性有機溶媒の水溶液が挙げられる。非水液体の例としては、有機溶媒、例えばアセトン、ブタノール、クロロベンゼン、エタノール、酢酸エチル、イソブタノール、メタノール、塩化メチレン、ピリジン及びトルエン並びに有機流体、例えばＤＯＴ３ブレーキ液、ライター用流体燃料及びガソリン添加剤の工業用混合物が挙げられる。
以下の実施例で、本発明をさらに詳細に説明するが、もちろんいかなる場合にも、本発明の範囲を限定して解釈されるべきではない。
【実施例】
【００１２】
（実施例）
この実施例は本発明の実施態様に従うインクジェットインク組成物を示す。また、この実施例は本発明のインクジェットインク組成物の実施態様の利点を示す。
【００１３】
【表１】
2007517946.tif 000002
【００１４】
基板である郵便切手の全体にわたって一様にコードを印刷することによってサンプルを得た。次いで、各サンプルを一晩乾燥させた。次いで、サンプルを半分に切って、その１つをコントロールとした。もう１つを密封したガラスびんで24時間所望の溶媒に完全に沈めた（外部からの振動や摩耗はない）。次いで、サンプルを取り出し、空気乾燥させた。次いで、各切手の曝露部分とコントロール部分とを比較して、目視評価を行った。
表２に示すように、複数の多孔質基板を種々の有機溶媒を用いて試験し、コントロールと改善された実施例インク組成物＃１とを比較した。多くの場合、試験後、コントロールの光学密度において明らかな減少が見られた。すべての場合で、改善されたインクによって作成された比較できるコードは同様に暗く、又はたいていの場合、コントロールよりも暗かった。コントロールのコードがかすかに目に見えるだけである場合でも、実施例インク＃１は容易に識別できるマークを基板に残した。コントロールのコードが完全に除去される３つの場合でも、実施例インク＃１はまだ容易に識別できた。
コントロールの場合、コードを除去するのに特に有効であると判明した溶媒としては、アセトン、ピリジン及びテトラヒドロフランが挙げられる。これらの各溶媒は１つの基板上でコントロールのコードを完全に除去した。対照的に、改善された組成物の実施例インク＃１はこれらの各溶媒／基板の組み合わせでも容易に識別できるコードを残していた。
【００１５】
【表２】
2007517946.tif 000003
【００１６】
本明細書で引用されたすべての参考文献（刊行物、特許出願及び特許を含む）は、各参考文献が個々に、具体的に参照によって組み込まれることを示し、その全内容が本明細書に記載された場合と同程度に参照によって組み込まれるものとする。
本発明を記載に関連して（特に特許請求の範囲に関連して）用いられる用語「a（不定冠詞）」、「an（不定冠詞）」及び「the（定冠詞）」は、特に明記しない限り、又は文脈によって明らかに否定されていない限り、単独の、及び複数の意味の両方をカバーするものと解釈されるべきである。「含む（comprising）」、「有する」、「含む（including）」及び「含む（containing）」なる用語は、特に明記しない限り、オープンエンドな用語（すなわち、「含むが、これに限られない」ことを意味する）として解釈されるべきである。本明細書において、値の範囲の列挙は、特に明記しない限り、単にその範囲内に含まれる各別個の値を個々に参照する省略方法として役立つように意図され、各別個の値は、それが個々に本明細書で引用されたかのように明細書に組み込まれるものとする。本明細書に記載されたすべての方法は、特に明記しない限り、又は文脈によって明らかに否定されていない限り、任意の適した順序で行ってもよい。本明細書で使用されるいずれかの、及びすべての例の使用（すなわち、例示的な用語（例えば、「のような」））は、本発明をより詳細に説明することのみを意図し、特に明記しない限り、本発明の範囲を制限することを主張するものではない。本明細書における用語は、本発明の実施に必要な任意の特許請求の範囲に記載されていない要素を示すものと解釈されるべきではない。
【００１７】
本発明の好ましい実施態様は本明細書に記載され、本発明を実施するために本発明者らが知っているベストモードを含む。これらの好ましい実施態様の変更は、本明細書を読んだ当業者にとっては明らかとなるであろう。本発明者らは、そのような変更が必要に応じて当業者によって採用されることを想定し、本発明者らは、本発明が本明細書に具体的に記載されたものとは別の方法で実施されることも想定する。したがって、本発明は、適用される法律によって認められるように、すべての変更及びこれに追加される特許請求の範囲に記載された主題の均等物を含む。さらに、すべての可能な変更において、上述の要素の任意の組み合わせは、特に明記しない限り、又は文脈によって明らかに否定されていない限り、本発明によって包含される。
【国際調査報告】
2007517946.tif 000004
2007517946.tif 000005